(57)【要約】【課題】  表示装置の種別及び／又は再生映像に対応した適切なγ補正を可能にした映像再生装置、映像表示装置及び映像表示システムを提供する。【解決手段】  映像再生装置１０がＤＶＤ１に格納されている映像コンテンツ（ビデオ映像）を特定するコンテンツ情報データ（VIDEO_TS.IFO）、映像コンテンツの再生位置情報及び映像表示装置機種情報（液晶プロジェクタ等）をγデータベースサーバ−４０に送信し、データベースサーバ−４０からそれらの情報に対応したγ補正データを所得する。そして、映像再生装置１０の映像処理部１５はγ補正データに基づいてＤＶＤ１の再生映像にγ補正をかけて映像表示装置２０に出力し、映像表示装置２０はγ補正された映像信号に基づいて映像をスクリーン３０に投射する。【選択図】        図１
2006074502.tif 000002
【特許請求の範囲】
【請求項１】
記憶媒体に格納されている映像コンテンツを特定するデータをネットワーク上のデータベースに送信し、前記データベースから前記映像コンテンツに対応したγ補正データを取得する制御部を備えたことを特徴とする映像再生装置。
【請求項２】
映像表示装置種別情報をネットワーク上のデータベースに送信し、前記データベースから映像表示装置種別に対応したγ補正データを取得する制御部を備えたことを特徴とする映像再生装置。
【請求項３】
記憶媒体に格納されている映像コンテンツを特定するデータとともに、映像表示装置種別情報をネットワーク上のデータベースに送信し、前記データベースから前記映像コンテンツ及び映像表示装置種別に対応したγ補正データを取得する制御部を備えたことを特徴とする映像再生装置。
【請求項４】
前記制御部は、前記データ及び映像表示装置種別情報とともに、前記記憶媒体の再生位置情報を前記データベースに送信し、前記データベースから前記映像コンテンツ及びその再生位置と映像表示装置種別とに対応したγ補正データを取得することを特徴とする請求項３記載の映像再生装置。
【請求項５】
前記記憶媒体の再生映像信号を前記γ補正データに基づいてγ補正して出力する映像信号処理部を備えたことを特徴とする請求項１〜４の何れかに記載の映像再生装置。
【請求項６】
前記データベースから取得した前記γ補正データを映像表示装置に出力する映像信号処理部を備えたことを特徴とする請求項１〜４の何れかに記載の映像再生装置。
【請求項７】
前記制御部は、映像再生装置に接続されている映像表示装置から映像表示装置種別情報を取得することを特徴とする請求項２〜６の何れかに記載の映像再生装置。
【請求項８】
前記制御部は、輝度信号又はＲＧＢ信号のそれぞれに対応するγ補正データを前記データベースから取得することを特徴とする請求項１〜７の何れか記載の映像再生装置。
【請求項９】
前記制御部は、前記記憶媒体の映像コンテンツに対応した１セット、チャプター単位、映像シーンの変化毎又は映像フレームを単位としたγ補正データを前記データベースから取得することを特徴とする請求項８記載の映像再生装置。
【請求項１０】
映像表示装置に接続対象されている映像再生装置から再生対象の記憶媒体に格納されている映像コンテンツを特定するデータを取得してネットワーク上のデータベースに送信し、前記データベースから前記映像コンテンツに対応したγ補正データを取得して、前記γ補正データに基づいて前記映像再生装置からの映像信号をγ補正する主回路を備えたことを特徴とする映像表示装置。
【請求項１１】
映像表示装置種別情報をネットワーク上のデータベースに送信し、前記データベースから映像表示装置種別に対応したγ補正データを取得して、前記γ補正データに基づいて前記映像再生装置からの映像信号をγ補正する主回路を備えたことを特徴とする映像表示装置。
【請求項１２】
映像表示装置に接続されている映像再生装置から再生対象の記憶媒体に格納されている映像コンテンツを特定するデータを取得して、前記データとともに映像表示装置種別情報をネットワーク上のデータベースに送信し、前記データベースから前記映像コンテンツ及び情報映像表示装置種別に対応したγ補正データを取得し、前記γ補正データに基づいて前記映像再生装置からの映像信号をγ補正する主回路を備えたことを特徴とする映像表示装置。
【請求項１３】
前記主回路は、前記映像再生装置から前記記憶媒体の再生位置情報を取得して、前記データ及び映像表示装置種別情報とともに、前記記憶媒体の再生位置情報をネットワーク上のデータベースに送信し、前記データベースから前記映像コンテンツ及びその再生位置と映像表示装置種別とに対応したγ補正データを取得して、前記γ補正データに基づいて前記映像再生装置からの映像信号をγ補正することを特徴とする請求項１２記載の映像表示装置。
【請求項１４】
前記主回路は、輝度信号又はＲＧＢ信号のそれぞれに対応するγ補正データを前記データベースから取得することを特徴とする請求項１０〜１３の何れかに記載の映像表示装置。
【請求項１５】
前記主回路は、前記記憶媒体の映像コンテンツに対応した１セット、チャプター単位、映像シーンの変化毎又は映像フレームを単位としてγ補正データを前記データベースから取得することを特徴とする請求項１４記載の映像表示装置。
【請求項１６】
請求項１〜９の何れかに記載の映像再生装置と、
前記映像再生装置からの映像信号に基づいて映像を表示する映像表示装置と、
前記映像再生装置とネットワークを介して接続され、前記記憶媒体の映像コンテンツ及び／又は前記映像表示装置種別に対応したγ補正データが格納されているデータベースとを備え、
前記映像再生装置は、前記データベースから取得した前記γ補正データを前記映像表示装置に出力してγ補正させ、又は前記γ補正データに基づいて前記映像信号をγ補正してγ補正後の映像信号を前記映像表示装置に出力する
ことを特徴とする映像表示システム。
【請求項１７】
記録媒体から映像信号を読み込んで出力する映像再生装置と、
請求項１０〜１５の何れかに記載の映像表示装置と、
前記映像表示装置とネットワークを介して接続され、前記記憶媒体の映像コンテンツ及び／又は前記映像表示装置種別に対応したγ補正データが格納されているデータベースとを備え、
前記映像表示装置は、前記データベースから取得した前記γ補正データに基づいて前記映像再生装置からの映像信号をγ補正する
ことを特徴とする映像表示システム。
【発明の詳細な説明】
【技術分野】
【０００１】
本発明は、映像再生装置、映像表示装置及び映像表示システムに関し、特に、ＤＶＤ等の記憶媒体に格納された映像信号のγ補正に関する。
【背景技術】
【０００２】
映像を再生する場合には、表示装置の特性に合わせたγ補正を行う必要がある。従来はＣＲＴでの観賞が一般的であったが、現在は、直視ＬＣＤ、ＰＤＰ、ＬＣＤ−ＰＪ、ＤＬＰ−ＰＪ（ＤＬＰはテキサスインスツルメンツ社の商標）等の新たな表示装置を用いて視聴する機会が増えている。そのため、ＣＲＴを前提としたγ補正のみでは全ての表示装置の特性に対応できず、使用する表示装置によっては画質を損ねるおそれがある。このため、入力映像信号の変化に対応して動的にγ補正のカーブを変更する技術が提案されている（例えば特許文献１）。
【特許文献１】特開２００４−１６３５１８号公報
【発明の開示】
【発明が解決しようとする課題】
【０００３】
しかしながら、上記の特許文献１に提案されている補正方法は、過去の数フレーム分の情報（輝度平均、白ピーク、黒ピーク、ヒストグラム等）からしかγ補正のカーブが計算できなかった。また、大きな映像の変化（シーンチェンジ）が発生した場合には、γカーブの変化が追随できず、切り替わり部分で映像が破綻してしまうこともある。また、シーンの変化は主観的なものであり、過去の数フレームの情報等から判断するのは非常に困難であった。
【０００４】
本発明は、このような問題点を解決するためになされたものであり、表示装置の種別及び／又は再生映像に対応した適切なγ補正を可能にした映像再生装置、映像表示装置及び映像表示システムを提供することを目的とする。
【課題を解決するための手段】
【０００５】
本発明に係る映像再生装置は、記憶媒体に格納されている映像コンテンツを特定するデータをネットワーク上のデータベースに送信し、前記データベースから前記映像コンテンツに対応したγ補正データを取得する制御部を備えたものである。本発明においては、記憶媒体に格納されている映像コンテンツ例えばそれが映画であれば、その映画を特定するデータをネットワーク上のデータベースに送信し、データベースからその映画に対応したγ補正データを取得するようにしたので、その映像コンテンツに対応した適切なγ補正が可能になっている。また、γ補正データのデータ量が多い場合においても、γ補正データをデータベースから取り込むようにしているので、映像再生装置自体に影響を及ぼすようなことは避けられる。なお、本発明における映像コンテンツとは映画等の動画を示すものとする。
【０００６】
また、本発明に係る映像再生装置は、映像表示装置種別情報をネットワーク上のデータベースに送信し、前記データベースから映像表示装置種別に対応したγ補正データを取得する制御部を備えたものである。本発明においては、映像表示装置種別情報（例えば、直視ＬＣＤ、ＰＤＰ、ＬＣＤ−ＰＪ、ＤＬＰーＰＪ等）をデータベースに送信し、データベースからその映像表示装置種別に対応したγ補正データを取得するようにしたので、その映像表示装置種別に対応した適切なγ補正が可能になっている。
【０００７】
また、本発明に係る映像再生装置は、記憶媒体に格納されている映像コンテンツを特定するデータとともに、映像表示装置種別情報をネットワーク上のデータベースに送信し、前記データベースから前記映像コンテンツ及び映像表示装置種別に対応したγ補正データを取得する制御部を備えたものである。本発明においては、前記映像コンテンツ及び映像表示装置種別に対応したγ補正データを取得するようにしたので、映像コンテンツ及び映像表示装置種別に対応した適切なγ補正が可能になっている。
【０００８】
また、本発明に係る映像再生装置において、前記制御部は、前記データ及び映像表示装置種別情報とともに、前記記憶媒体の再生位置情報を前記データベースに送信し、前記データベースから前記映像コンテンツ及びその再生位置と映像表示装置種別とに対応したγ補正データを取得する。本発明においては、前記映像コンテンツ及びその再生位置と映像表示装置種別とに対応したγ補正データを取得するようにしたので、映像シーンに対応した適切なγ補正が可能になっている。
【０００９】
また、本発明に係る映像再生装置は、前記記憶媒体の再生映像信号を前記γ補正データに基づいてγ補正して出力する映像信号処理部を備えたものである。本発明においては上記のようにして得られたγ補正データに基づいて映像信号をγ補正するようにしており、
映像再生装置の段階でγ補正をするようにしたので、映像表示装置の負荷が軽減する。
【００１０】
また、本発明に係る映像再生装置は、 前記データベースから取得した前記γ補正データを映像表示装置に出力する映像信号処理部を備えている。
また、本発明に係る映像再生装置において、前記制御部は、映像再生装置に接続されている映像表示装置から映像表示装置種別情報を取得する。本発明においては、映像表示装置から映像表示装置種別情報を自動的に取得するようにしたので、例えば手動により設定する等の手間が省ける。
【００１１】
また、本発明に係る映像再生装置において、前記制御部は、輝度信号又はＲＧＢ信号のそれぞれに対応するγ補正データを前記データベースから取得する。本発明においては、必要に応じて輝度信号又はＲＧＢ信号のγ補正データを取得するようにしたので、映像コンテンツに応じたきめ細やかなγ補正が可能になっている。
【００１２】
本発明に係る映像再生装置において、前記制御部は、前記記憶媒体の映像コンテンツに対応した１セット、チャプター単位、映像シーンの変化毎又は映像フレームを単位としたγ補正データを前記データベースから取得する。本発明においては、必要に応じて映像コンテンツに対応した１セット、チャプター単位、映像シーンの変化毎又は映像フレームを単位としたγ補正データを取得するようにしたので、映像コンテンツに対応したきめ細やかなγ補正が可能になっている。
【００１３】
本発明に係る映像表示装置は、画像表示装置に接続対象されている映像再生装置から再生対象の記憶媒体に格納されている映像コンテンツを特定するデータを取得してネットワーク上のデータベースに送信し、前記データベースから前記映像コンテンツに対応したγ補正データを取得して、前記γ補正データに基づいて前記映像再生装置からの映像信号をγ補正する主回路を備えたものである。本発明においては、記憶媒体に格納されている映像コンテンツ例えばそれが映画であれば、その映画を特定するデータをネットワーク上のデータベースに送信し、データベースからその映画に対応したγ補正データを取得するようにしたので、その映像コンテンツに対応した適切なγ補正が可能になっている。また、γ補正データのデータ量が多いように場合においても、γ補正データをデータベースから取り込むようにしているので、映像表示装置自体に影響を及ぼすようなことは避けられる。
【００１４】
本発明に係る映像表示装置は、映像表示装置種別情報をネットワーク上のデータベースに送信し、前記データベースから映像表示装置種別に対応したγ補正データを取得して、前記γ補正データに基づいて前記映像再生装置からの映像信号をγ補正する主回路を備えたものである。本発明においては、映像表示装置種別情報（例えば、直視ＬＣＤ、ＰＤＰ、ＬＣＤ−ＰＪ、ＤＬＰーＰＪ等）をデータベースに送信し、データベースからその映像表示装置種別に対応したγ補正データを取得するようにしたので、その映像表示装置種別に対応した適切なγ補正が可能になっている。
【００１５】
本発明に係る映像表示装置は、画像表示装置に接続されている映像再生装置から再生対象の記憶媒体に格納されている映像コンテンツを特定するデータを取得して、前記データとともに映像表示装置種別情報をネットワーク上のデータベースに送信し、前記データベースから前記映像コンテンツ及び情報映像表示装置種別に対応したγ補正データを取得し、前記γ補正データに基づいて前記映像再生装置からの映像信号をγ補正する主回路を備えたものである。本発明においては、映像コンテンツ及び映像表示装置種別に対応したγ補正データを取得するようにしたので、映像コンテンツ及び映像表示装置種別に対応した適切なγ補正が可能になっている。
【００１６】
本発明に係る映像表示装置において、前記主回路は、前記映像再生装置から前記記憶媒体の再生位置情報を取得して、前記データ及び映像表示装置種別情報とともに、前記記憶媒体の再生位置情報をネットワーク上のデータベースに送信し、前記データベースから前記映像コンテンツ及びその再生位置と映像表示装置種別とに対応したγ補正データを取得して、前記γ補正データに基づいて前記映像再生装置からの映像信号をγ補正する。本発明においては、前記映像コンテンツ及びその再生位置と映像表示装置種別とに対応したγ補正データを取得するようにしたので、映像シーンに対応した適切なγ補正が可能になっている。
【００１７】
本発明に係る映像表示装置において、前記主回路は、輝度信号又はＲＧＢ信号のそれぞれに対応するγ補正データを前記データベースから取得する。本発明においては、必要に応じて輝度信号又はＲＧＢ信号のγ補正データを取得するようにしたので、映像コンテンツに応じたきめ細やかなγ補正が可能になっている。
【００１８】
本発明に係る映像表示装置は、前記主回路は、前記記憶媒体の映像コンテンツに対応した１セット、チャプター単位、映像シーンの変化毎又は映像フレームを単位としたγ補正データを前記データベースから取得する。本発明においては、必要に応じて映像コンテンツに対応した１セット、チャプター単位、映像シーンの変化毎又は映像フレームを単位としたγ補正データを取得するようにしたので、映像コンテンツに応じたきめ細やかなγ補正が可能になっている。
【００１９】
本発明に係る映像表示システムは、上記の映像再生装置と、前記映像再生装置からの映像信号に基づいて映像を表示する映像表示装置と 前記映像再生装置とネットワークを介して接続され、前記記憶媒体の映像コンテンツ及び／又は前記映像表示装置種別に対応したγ補正データが格納されているデータベースとを備え、前記映像再生装置は、前記データベースにアクセスから取得した前記γ補正データを前記映像表示装置に出力してγ補正させ、又は前記γ補正データに基づいて前記映像信号をγ補正してγ補正後の映像信号を前記映像表示装置に出力する。
本発明に係る映像表示システムは、記録媒体から映像信号を読み込んで出力する映像再生装置と、上記の映像表示装置と、 前記映像表示装置とネットワークを介して接続され、前記記憶媒体の映像コンテンツ及び／又は前記映像表示装置種別に対応したγ補正データが格納されているデータベースとを備え、前記映像表示装置は、前記データベースから取得した前記γ補正データに基づいて前記映像再生装置からの映像信号をγ補正する。
【発明を実施するための最良の形態】
【００２０】
実施形態１．
図１は本発明の実施形態１に係る映像表示システムの構成を示すブロック図である。同図に示されるように、この映像表示システムは、映像再生装置１０、映像表示装置２０及びγデータベースサーバー４０から構成されており、映像再生装置１０は例えばＤＶＤプレイヤーであり、記憶媒体であるＤＶＤ１からVIDEO_TS.IFO（又はVIDEO_TS.BUP）、再生位置を取得し、予め設定しておいた映像表示装置２０の種別情報とともに、ネットワーク上に存在するγデータベースサーバー４０に送信する。なお、VIDEO_TS.IFOはＤＶＤに存在するファイルであり、ＤＶＤ全体を制御する情報ファイル（例えばタイトル、チャプターの構成、リージョン情報等を含む）である。また、VIDEO_TS.BUPは、VIDEO_TS.IFOのバックアップファイルである。これらのファイルVIDEO_TS.IFO（又はVIDEO_TS.BUP）はＤＶＤ１に記憶されている映像コンテンツを特定するデータであり、本実施形態においてはコンテンツ情報データと称するものとする。γデータベースサーバー４０は、映像表示装置２０の種別及びＤＶＤ１の映像コンテンツのフレーム映像に対応したγ補正データが格納されており、映像再生装置１０から取得した情報に基づいて最適なγ補正データを映像再生装置１０に送信する。映像再生装置１０は受信したγ補正データに基づいて映像信号をγ補正し、補正された映像信号を映像表示装置２０に出力する。映像表示装置２０は例えばプロジェクタであり、その映像表示装置の種別及び再生映像（フレーム映像）に応じたγ補正がなされた映像が表示する。なお、図１においては○印が付記された数値は信号処理の順序を示したものである（このことは、後述の図６及び図８においても同様である。）。
【００２１】
図２は図１の映像再生装置１０の構成を示したブロック図である。映像再生装置１０は、光ピックアップ１１、チャンネルデコーダ１２、バックエンドデコーダ１３、制御部１４、映像処理部１５、音声処理部１６及びネットワークコントローラ１７を備えている。光ピックアップ１１はＤＶＤ１に保存されているデータを取り込んでチャンネルデコーダ１２に出力し、チャンネルデコーダ１２はそのデータについてデータ復調／エラー訂正等の処理してバックエンドデコーダ１３に出力する。バックエンドデコーダ１３はそのデータについてビデオ／オーディオ復調再生処理等の処理を行って、コンテンツ情報データ（VIDEO_TS.IFO）、映像信号及び音声信号を、制御部１４、映像処理部１５及び音声処理部１６にそれぞれ出力する。制御部１４は、バックエンドデコーダ１３から上記のコンテンツ情報データ（VIDEO_TS.IFO）の他に再生位置情報を取得し、また、図示しない設定手段により接続対象となっている映像表示装置の種別が設定されており、コンテンツ情報データ（VIDEO_TS.IFO）、再生位置情報及び映像表示装置の種別データをネットワークコントローラ１７を介してγデータベースサーバー４０に送信する。そして、制御部１４は、γデータベースサーバー４０からそれらの送信データに対応したγ補正値が送信されてくると、そのγ補正値を取り込んで映像処理部１５に出力する。映像処理部１５はバックエンドデコーダ１３からの映像信号をγ補正値に基づいて補正して映像表示装置２０に出力する。音声処理部１６は、バックエンドデコーダ１３からの音声信号を処理して映像表示装置２０に出力する。
【００２２】
図３は図１の映像表示装置２０の構成を示すブロック図である。映像表示装置２０は、スイッチ２１、Ａ／Ｄコンバータ２２、ビデオデコーダ２３、主回路２４、ネットワークコントローラ２５、液晶駆動回路２６、ランプ２７、液晶パネル２８及び投射レンズ２９を備えている。なお、本実施形態は映像信号のγ補正に着目した実施形態であることから、映像表示装置２０の音声系は省略してある。スイッチ２１には、D-Sub15、CVRS、S-Video、3-RCA等の各種の映像信号が入力され、その入力された映像信号を適宜取り込んで、Ａ／Ｄコンバータ２２又はビデオデコーダ２３に出力する。本実施形態においては、映像再生装置１０の映像処理部１５からはCVRS、S-Video、3-RCAの何れかの映像信号が入力し、それはビデオデコーダ２３に出力される。ビデオデコーダ２３は映像信号をデコードして主回路２４に出力し、主回路２４はデコードされた映像信号に、例えば台形補正、リサイズ（ＲＥＳＩＺＥ）、色むら補正、シャープネス、明るさ、コントラスト、色の濃さ、色あい等の各種補正や調整を行い、液晶パネル２８に対応した映像信号を生成して液晶駆動回路２６に出力する。液晶駆動回路２６はその映像信号に基づいて液晶パネル２８を駆動して映像を描画する。ランプ２７はその描画された映像を投射レンズ２９介してスクリーン３０に拡大投射する。
【００２３】
図４は図１の映像表示システムの信号授受の過程を示したフローチャートである。
（Ｓ１１）映像再生装置１０の制御部１４は、上述のように、コンテンツ情報データ（VIDEO_TS.IFO）及び映像表示装置２０の種別データを取得すると、ネットワークコントローラ１７及びネットワーク（図示せず）を介してγデータベースサーバー４０に対して、コンテンツ情報データ（VIDEO_TS.IFO）及び映像表示装置２０の種別データを伴って接続要求をする。
（Ｓ１２）γデータベースサーバー４０は、接続結果として、γ補正データ（有・無）及び接続ＩＤ（＃＃＃＃）をネットワークを介して映像再生装置１０に送信する。
（Ｓ１３）映像再生装置１０の制御部１４は、接続結果をネットワークコントローラ１７を介して受信すると、接続ＩＤ（＃＃＃＃）を保存し、接続ＩＤ（＃＃＃＃）、再生位置（ｘFrame）、取得フレーム数（ＹFrame））のデータを伴ってγ補正データ要求をγデータベースサーバー４０に対して行う。
（Ｓ１４）γデータベースサーバー４０は、そのγ補正データ要求結果として、再生位置（ｘFrame）及び複数のフレーム分のγ補正データ（０，１，…２５４，２５５）、…を送信する。
【００２４】
（Ｓ１５）映像再生装置１０の制御部１４は、接続結果をネットワークコントローラ１７を介して上記のデータを受信すると映像処理部１５に出力し、映像処理部１５は、バックエンドデコーダ１３からのフレーム映像に、それぞれ該当するγ補正データに基づいてγ補正をかけて映像表示装置２０に出力する。なお、上記のように、再生位置（ｘFrame）が特定されており、その再生位置を含めて数フレーム分のγ補正データが取り込まれるので、それらを内部メモリに一時記憶して、フレーム映像に同期してそれらを読み出してγ補正をかけるものとする。映像表示装置２０にそのγ補正された映像信号がスイッチ２１を介して入力すると、その映像信号に基づいた映像をスクリーン３０に拡大して表示させる。なお、本実施形態においては、γデータベースサーバー４０から再生位置（ｘFrame）及び複数のフレーム分のγ補正データが送信されてくることにより、フレーム映像ごとにその映像に該当するγ補正データによりγ補正がなされるものとし、また、そのγ補正は例えば輝度信号についてなされる。
（Ｓ１６）そして、上記の処理が複数のフレーム単位で繰り返されてフレーム映像ごとにγ補正がかけられる。そして、映像再生装置１０は、例えば映像の再生処理を終了すると、γデータベースサーバー４０に対して接続ＩＤ（＃＃＃＃）を伴って切断要求をすると、γデータベースサーバー４０は映像再生装置１０に対して切断処理完了を送信し、両者の接続が遮断する。
【００２５】
図５はγ補正データの一例を示した特性図である。例えば入出力の階調が２５６階調である場合には、γデータベースサーバー４０は以下のようなフォーマットでγ補正データを送信する。なお、このγ補正データは、上記のように表示装置種別と映像コンテンツ及びその再生位置に対応した値になっている。
入力が０レベルの時の出力レベル，
入力が１レベルの時の出力レベル，
…                         … ，
入力が２５４レベルの時の出力レベル，
入力が２５５レベルの時の出力レベル
ここで、γ補正データの前提となる入出力の階調は２５６階調でなくてもよい。また、γ補正データはすべてのレベルのデータを含んでいないで、間のデータを補間するようになっていてもよい。
【００２６】
以上のように本実施形態１においては、映像再生装置１０が記憶媒体であるＤＶＤ１に格納されている映像コンテンツ（ビデオ映像）を特定するコンテンツ情報データ（VIDEO_TS.IFO）、映像コンテンツの再生位置情報及び映像表示装置機種情報（液晶プロジェクタ等）をγデータベースサーバ−４０に送信し、データベースサーバ−４０からそれらの情報に対応したγ補正データを取得するようにしたので、映像コンテンツ及びその再生位置と映像表示装置種別とに対応した適切なγ補正が可能になっている。また、γ補正データのデータ量が多いように場合においても、γ補正データをγデータベースサーバー４０から取り込むようにしているので、映像再生装置１０自体に影響を及ぼすようなことは避けられる。また、γデータベースサーバ−４０には各種の映像コンテンツに対応したγ補正データが格納されるが、その場合に映像コンテンツの制作者に意図を反映させたものに設定することが可能であり、制作者の意図を反映させた映像をスクリーン３０上に得ることができる。また、本実施形態１においては、映像再生装置１０の映像処理部１５おいて映像信号にγ補正をかけるようにしたので、映像表示装置２０側の処理が軽減される。
【００２７】
実施形態２．
図６は本発明の実施形態２に係る映像表示システムの構成を示したブロック図であり、図７は図６の映像表示システムの信号授受の過程を示したフローチャートである。上述の実施形態１においては、映像再生装置１０の制御部１４に映像表示装置の種別情報が設定され、映像処理部１５においてγ補正をした例を示したが、本実施形態２においては、映像再生装置１０の制御部１４が映像表示装置２０から種別情報を取得し、映像表示装置２０においてγ補正をする。なお、映像再生装置１０及び映像表示装置２０のハード構成は図２及び図３に示されるものと同一であるが、その機能が後述の処理の範囲で異なってものとなっている（このことは後述の実施形態３．においても同様である。）
【００２８】
（Ｓ２１）映像再生装置１０の制御部１４は、コンテンツ情報データ（VIDEO_TS.IFO）を取得すると、ネットワークコントローラ１７を介して映像表示装置２０に対して表示装置の種別を問い合わせる（表示装置種別要求）。
（Ｓ２２）映像表示装置２０の主回路２４はネットワークコントローラ２５を介して映像再生装置１０からの問い合わせ（表示装置種別要求）を受信すると、表示装置種別（例えば液晶プロジェクタ）をネットワークコントローラ２５を介して映像再生装置１０に送信する。
（Ｓ２３）映像再生装置１０の制御部１４はネットワークコントローラ１７を介して表示装置種別（例えば液晶プロジェクタ）を受信して保存するとともに、ネットワークコントローラ１７を介してγデータベースサーバー４０に対して、コンテンツ情報データ（VIDEO_TS.IFO）及び映像表示装置種別データ（例えば液晶プロジェクタ）を伴って接続要求をする。
（Ｓ２４）γデータベースサーバー４０は、接続結果として、γ補正データ（有・無）及び接続ＩＤ（＃＃＃＃）をネットワークを介して映像再生装置１０に送信する。
【００２９】
（Ｓ２５）映像再生装置１０の制御部１４は、接続結果をネットワークコントローラ１７を介して受信すると、接続ＩＤ（＃＃＃＃）を保存するとともに、接続ＩＤ（＃＃＃＃）、再生位置（ｘFrame）、取得フレーム数（ＹFrame）のデータを伴ってγ補正データ要求をγデータベースサーバー４０に対して行う。
（Ｓ２６）γデータベースサーバー４０は、そのγ補正データの要求結果として、接続ＩＤ（＃＃＃＃）、再生位置（ｘFrame）、フレーム数分のγ補正データ（０，１，…２５４，２５５）、…を送信する。
（Ｓ２７）映像再生装置１０の制御部１４は、接続結果をネットワークコントローラ１７を介して上記のデータを受信すると、γ補正データを映像表示装置２０に出力する。
（Ｓ２８）映像表示装置２０の主回路２４は、ネットワークコントローラ２５を介してγ補正データを受信すると、ビデオデコーダ２３によりデコードされた映像信号をγ補正データに基づいたγ補正を施して液晶駆動回路２６に出力し、液晶駆動回路２６はその映像信号に基づいて液晶パネル２８を駆動してスクリーン３０に映像を表示させる。
（Ｓ２９）上記の処理が複数のフレーム映像の単位で繰り返され、フレーム映像ごとにγ補正がかけられる。そして、映像再生装置１０は、例えば映像の再生処理を終了すると、γデータベースサーバー４０に対して接続ＩＤ（＃＃＃＃）を伴って切断要求をすると、γデータベースサーバー４０は映像再生装置１０に対して切断処理完了を送信し、両者の接続が遮断する。
【００３０】
以上のように本実施形態２においては、制御部１４は、映像再生装置１０に接続されている映像表示装置２０から映像表示装置種別情報を自動的に取得するようにしており、このため、例えば手動により設定する等の手間が省ける。
【００３１】
実施形態３．
図８は本発明の実施形態３に係る映像表示システムの構成を示すブロック図であり、図９は図８の映像表示システムの信号授受の過程を示したフローチャートである。上記の実施形態２においては、映像再生装置１０の制御部１４がγ補正データを取得し、映像表示装置２０においてγ補正をした例を示したが、本実施形態３においては、映像表示装置２０がγ補正データを取得してγ補正をする。
【００３２】
（Ｓ３１）映像再生装置１０の制御部１４は、コンテンツ情報データ（VIDEO_TS.IFO）を取得すると、そのコンテンツ情報データ（VIDEO_TS.IFO）をネットワークコントローラ１７を介して映像表示装置２０に対して送信する。
（Ｓ３２）映像表示装置２０の主回路２４は、それらの情報をネットワークコントローラ２５を介して受信すると、内部のメモリに保存する。そして、γデータベースサーバー４０に対して、コンテンツ情報データ（VIDEO_TS.IFO）及び表示装置種別（液晶プロジェクタ）を伴って接続要求をする。
（Ｓ３３）γデータベースサーバー４０は、接続結果として、γ補正データ（有・無）及び接続ＩＤ（＃＃＃＃）をネットワークを介して映像表示装置２０に送信する。
（Ｓ３４）映像表示装置２０の主回路２４は、ネットワークコントローラ２５を介して接続結果を受信すると、その接続ＩＤ（＃＃＃＃）を内部メモリに保存し、再生位置を映像再生装置１０に問い合わせる（再生位置要求）。
（Ｓ３５）映像再生装置１０の制御部１４は、映像表示装置２０からの問い合わせに対して、現在の再生位置（ｘFrame）をバックエンドデコーダ１３から取得して、映像表示装置２０に出力する。
【００３３】
（Ｓ３６）映像表示装置２０の主回路２４は、現在の再生位置を取得すると、接続ＩＤ（＃＃＃＃）、再生位置（ｘFrame）及び取得フレーム数（ＹFrame）のデータを伴ってγ補正データ要求をγデータベースサーバー４０に対して行う。
（Ｓ３７）γデータベースサーバー４０は、そのγ補正データの要求結果として、接続ＩＤ（＃＃＃＃）、再生位置（ｘFrame）及び複数フレーム分のγ補正データ（０，１，…２５４，２５５）、…を映像表示装置２０に送信する。
（Ｓ３８）映像表示装置２０の主回路２４は、接続結果をネットワークコントローラ１７を介して上記のデータを受信すると、そのγ補正データに基づいて映像信号をγ補正して表示用の映像信号を生成して液晶駆動回路２６に出力し、液晶駆動回路２６はその映像信号に基づいて液晶パネル２８を駆動してスクリーン３０に映像を表示させる。
（Ｓ３９）映像表示装置２０の主回路２４は、上記の処理を繰り返し、最終段階において、接続ＩＤ（＃＃＃＃）を伴って、切断要求をγデータベースサーバー４０に対して行うと、γデータベースサーバー４０は切断処理完了を送信し、両者の接続が遮断されて一連の処理が終了する。
【００３４】
以上のように本実施形態３においては、映像表示装置２０が記憶媒体であるＤＶＤ１に格納されている映像コンテンツ（ビデオ映像）を特定する情報であるコンテンツ情報データ（VIDEO_TS.IFO）、映像コンテンツの再生位置情報及び映像表示装置機種情報（液晶プロジェクタ等）をγデータベースサーバー４０に送信し、γデータベースサーバ−４０からそれらの情報に対応したγ補正データを取得するようにしたので、映像コンテンツ及びその再生位置と映像表示装置機種とに対応した適切なγ補正が可能になっている。また、γ補正データのデータ量が多い場合においても、γ補正データをγデータベースサーバー４０から取り込むようにしているので、映像表示装置２０自体に影響を及ぼすようなことは避けられる。また、γデータベースサーバ−４０には各種の映像コンテンツに対応したγ補正データが格納されるが、その場合に映像コンテンツの制作者に意図を反映させたものに設定することが可能であり、制作者の意図を反映させた映像をスクリーン３０上に得ることができる。
【００３５】
実施形態４．
なお、上述の実施形態１〜３においては輝度のγ補正データをγデータベースサーバー４０から取り込んでγ補正をする例について説明したが、ＲＧＢ信号のそれぞれのγ補正データをγデータベースサーバー４０を格納しておいて取り込むようにしてもよい。
【００３６】
また、上記の実施形態１〜３においては、フレーム映像を単位としてγ補正をする例について説明したが、チャプター単位でも良いし、映像シーンの変化毎でも良いし、或いはＤＶＤ毎に１セット（映像全体において最適と思われるγ補正データ）でもよい。何れの場合においても、γデータベースサーバー４０に予めγ補正データを予め格納しておいてそれを取り込んで映像信号をγ補正するので、映像に応じた最適なγ補正がなされる。
【００３７】
また、上記の実施形態１〜３においては、複数フレーム分のγ補正データを取り込んで内部メモリに蓄えておいて、映像フレームの再生のタイミングに合わせ該当するγ補正データによりγ補正する例について説明したが、１個のフレーム分のγ補正データを取り込んでγ補正を逐次するようにしてもよい。
【００３８】
また、上記の実施形態１〜３においては記憶媒体としてＤＶＤの例について説明したが、本発明においては、映像コンテンツを特定できるデータが格納されているものであれば、他の記憶媒体であってもよい。
【００３９】
また、上記の実施形態１〜３においては映像表示装置とし液晶プロジェクタの例について説明したが、例えば、直視ＬＣＤ、ＰＤＰ、ＤＬＰーＰＪ等においても同様に適用され、その映像表示装置種別に対応したγ補正データが得られる。
【００４０】
また、図２の映像再生装置１０と図３の映像表示装置２０との信号の授受をネットワークコントローラ１７，２５により外部のネットワークを介して行う例について説明したが、両者の間に専用の回線を設けて信号の授受を行うようにしてもよい。
【図面の簡単な説明】
【００４１】
【図１】本発明の実施形態１に係る映像表示システムの構成を示したブロック図。
【図２】映像再生装置の構成を示したブロック図。
【図３】映像表示装置の構成を示したブロック図。
【図４】図１の映像表示システムの信号授受の過程を示したフローチャート。
【図５】γ補正データの一例を示した特性図。
【図６】本発明の実施形態２に係る映像表示システムの構成を示すブロック図。
【図７】図６の映像表示システムの信号授受の過程を示したフローチャート。
【図８】本発明の実施形態３に係る映像表示システムの構成を示したブロック図。
【図９】図８の映像表示システムの信号授受の過程を示したフローチャート。
【符号の説明】
【００４２】
１０ 映像再生装置、１１ 光ピックアップ、１２ チャンネルデコーダ、１３ バックエンドデコーダ、１４ 制御部、１５ 映像処理部、１６ 音声処理部、１７ ネットワークコントローラ、２０ 映像表示装置、２１ スイッチ、２３ ビデオデコーダ、２４ 主回路、２５ ネットワークコントローラ、２６ 液晶駆動回路、２７ ランプ、２８ 液晶パネル、 ２９ 投射レンズ、３０ スクリーン、４０ γデータベースサーバー。
【図１】
2006074502.tif 000003
【図２】
2006074502.tif 000004
【図３】
2006074502.tif 000005
【図４】
2006074502.tif 000006
【図５】
2006074502.tif 000007
【図６】
2006074502.tif 000008
【図７】
2006074502.tif 000009
【図８】
2006074502.tif 000010
【図９】
2006074502.tif 000011